(57)【要約】  非SR送信によるSR送信を行うBSSへの与干渉を低減することができる無線通信装置。無線通信装置（１００）（SR initiator）において、SR送信リソース制御部（１０７）は、無線通信装置（１００）が所属する第１のBSS（Basic Service Set）内の他の無線通信装置（SR responder）から送信される無線品質情報に基づいて、第１のBSS以外の第２のBSSに対するSR（Spatial Reuse）によって送信されるSR信号の送信リソースを決定する。無線送受信部（１０１）は、決定された送信リソースを用いて、SR信号を送信する。
2019167439.tif 000002
【特許請求の範囲】
【請求項１】
第１のBSS（Basic Service Set）内の他の無線通信装置から送信される無線品質情報に基づいて、前記第１のBSS以外の第２のBSSに対するSR（Spatial Reuse）によって送信されるSR信号の送信リソースを決定する制御回路と、
前記送信リソースを用いて、前記SR信号を送信する送信回路と、
を具備する無線通信装置。
【請求項２】
前記制御回路は、前記無線品質情報に基づいて、前記SR信号の送信可能な帯域を判断し、
前記送信回路は、前記送信可能な帯域において前記SR信号を送信し、前記送信可能な帯域以外の帯域では前記SR信号を送信しない、
請求項１に記載の無線通信装置。
【請求項３】
前記制御回路は、前記第２のBSSからの信号に基づいて得られる期間において前記SR信号を送信する場合に前記送信リソースを決定し、前記期間において前記SRを送信しない場合に前記送信リソースを決定しない、
請求項１に記載の無線通信装置。
【請求項４】
前記無線品質情報は所定帯域毎の無線品質を示す、
請求項１に記載の無線通信装置。
【請求項５】
前記所定帯域は、RU（Resource Unit）単位の帯域である、
請求項４に記載の無線通信装置。
【請求項６】
前記所定帯域は、20MHz単位の帯域である、
請求項４に記載の無線通信装置。
【請求項７】
前記無線品質情報は、前記他の無線通信装置における前記SR信号の受信可否、前記他の無線通信装置における干渉レベルが閾値より低いか否か、前記他の無線通信装置における干渉レベル、及び、前記無線通信装置から前記他の無線通信装置へ通信を行うときの受信品質のうちの何れかを示す、
請求項１に記載の無線通信装置。
【請求項８】
前記無線品質情報は、BSS毎の無線品質を示す、
請求項１に記載の無線通信装置。
【請求項９】
前記無線品質情報は、前記第１のBSSを含む第１のグループに所属するBSSに対する無線品質、及び、前記第１のグループと異なる第２のグループに所属するBSSに対する無線品質を示す、
請求項１に記載の無線通信装置。
【請求項１０】
前記無線品質情報は、前記無線通信装置から前記他の無線通信装置へ通信を行うときの受信品質を含み、
前記制御回路は、前記受信品質に基づいて前記他の無線通信装置において所定の誤り率を満たす第１の送信電力を算出し、前記第２のBSSからの信号に基づいて第２の送信電力を算出し、前記第２の送信電力が前記第１の送信電力より大きい場合、前記SR信号の送信を決定する、
請求項１に記載の無線通信装置。
【請求項１１】
前記SR信号の送信電力は、前記第１の送信電力より大きく、かつ、前記第２の送信電力未満である、
請求項１０に記載の無線通信装置。
【請求項１２】
第１のBSS（Basic Service Set）内の他の無線通信装置から送信される無線品質情報に基づいて、前記第１のBSS以外の第２のBSSに対するSR（Spatial Reuse）によって送信されるSR信号の送信リソースを決定し、
前記送信リソースを用いて、前記SR信号を送信する、
無線通信方法。
【発明の詳細な説明】
【技術分野】
【０００１】
本開示は、無線通信装置及び無線通信方法に関する。
【背景技術】
【０００２】
IEEE（the Institute of Electrical and Electronics Engineers） 802.11 Working GroupのTask Group axにおいて、802.11acの次期規格として、IEEE 802.11ax（以下、「11ax」と呼ぶ）の技術仕様策定が進められている。【０００３】
IEEE 802.11規格では、基本的な無線ネットワークを構成する端末（「Station（STA）」と呼ばれることもある）の集合として、BSS（Basic Service Set）が定義されている。BSSは、インフラストラクチャ・モードにおいては１台のアクセスポイント（「Access point（AP）」、「基地局」と呼ばれることもある）と複数の端末とによって構成され、アドホック・モードにおいては複数の端末によって構成される。【０００４】
自端末が属するBSS（intra-BSS）以外のBSSは、「OBSS（Overlapping BSS、またはinter-BSS）」と呼ばれる。複数のBSSが隣接して存在する環境においては、周辺のOBSSからの電波干渉が増大し、送信機会の減少により、システム性能が劣化する。【０００５】
これに対して、11axでは、BSSが高密度に存在する環境におけるシステム性能の向上を目的として、OBSSが使用している無線リソースを再利用することで送信機会を得るSR（Spatial reuse）の導入が規定された（例えば、非特許文献１を参照）。【０００６】
非特許文献１には、「OBSS PD（Packet detect）-based SR」、及び、「SRP based SR」と呼ばれる２つのSRが規定されている。OBSS PD-based SRでは、STAは、OBSSから受信した信号（以下、OBSS信号と呼ぶ）の受信電力と、OBSSのBSS識別子（BSS color）とに基づいてCCA（Clear channel assessment）閾値を動的に制御することで、送信機会を得る。また、SRP based SRでは、STAは、OBSS信号から得られる干渉許容値（「Spatial reuse parameter（SRP）」）と、OBSS信号の受信信号強度（「Received signal strength indication（RSSI）」）とに基づいて、OBSSの干渉許容値を超えない条件を満たす送信電力を導出する。STAは、導出した送信電力で信号を送信することで、OBSSに対する与干渉を低減しながら、送信機会を得る（例えば、非特許文献２を参照）。【０００７】
なお、以下の説明では、上記のSRを適用した送信を「SR送信」と呼び、SRを適用しない送信を「非SR送信」と呼ぶ。また、以下の説明では、SR送信される信号を「SR信号」と呼び、非SR送信される信号を「非SR信号」と呼ぶ。
【先行技術文献】
【非特許文献】
【０００８】
【非特許文献１】IEEE 802.11-17/0075r8 “SRP-Based SR Operation”
【非特許文献２】IEEE 802.11-16/1476r21 “SRP based SR for HE Trigger-based PPDU”
【非特許文献３】IEEE 802.11-16/1216r2 “SR Field SRP Table for HE Trigger-Based PPDU”
【発明の概要】
【０００９】
しかしながら、SR送信によるOBSSに対する与干渉の低減については考慮されているのに対して、非SR送信によるSR送信を行うBSSへの与干渉の低減については十分に検討されていない。
【００１０】
本開示の一態様は、非SR送信によるSR送信を行うBSSへの与干渉を低減することができる無線通信装置及び無線通信方法の提供に資する。
【００１１】
本開示の一態様に係る無線通信装置は、第１のBSS（Basic Service Set）内の他の無線通信装置から送信される無線品質情報に基づいて、前記第１のBSS以外の第２のBSSに対するSR（Spatial Reuse）によって送信されるSR信号の送信リソースを決定する制御回路と、前記送信リソースを用いて、前記SR信号を送信する送信回路と、を具備する。
【００１２】
本開示の一態様に係る通信方法は、第１のBSS（Basic Service Set）内の他の無線通信装置から送信される無線品質情報に基づいて、前記第１のBSS以外の第２のBSSに対するSR（Spatial Reuse）によって送信されるSR信号の送信リソースを決定し、前記送信リソースを用いて、前記SR信号を送信する。
【００１３】
なお、これらの包括的または具体的な態様は、システム、装置、方法、集積回路、コンピュータプログラムまたは記録媒体で実現されてもよく、システム、装置、方法、集積回路、コンピュータプログラムおよび記録媒体の任意な組み合わせで実現されてもよい。
【００１４】
本開示の一態様によれば、非SR送信によるSR送信を行うBSSに対する与干渉を低減することができる。
【００１５】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１６】
【図１】SRP-based SRの動作例を示す図
【図２】SRP-based SRにおける課題の説明に供する図
【図３】実施の形態１に係る無線通信装置の一部の構成例を示すブロック図
【図４】実施の形態１に係る無線通信装置（SR initiator）の構成例を示すブロック図
【図５】実施の形態１に係る無線通信装置（SR responder）の構成例を示すブロック図
【図６】実施の形態１に係るシステムの動作例を示すシーケンス図
【図７】実施の形態１に係るSRP-based SRの動作例を示す図
【図８】実施の形態１に係るSRP-based SRの動作例を示す図
【図９】実施の形態１に係るRU単位のSR可否情報の一例を示す図
【図１０】実施の形態１に係る20MHz単位のSR可否情報の一例を示す図
【図１１】実施の形態２に係るSRG及びNon-SRGのSR可否情報の一例を示す図
【図１２】実施の形態２に係るBSS color単位のSR可否情報の一例を示す図
【図１３】実施の形態３に係る無線通信装置（SR initiator）の構成例を示すブロック図
【図１４】他の実施の形態に係る先行信号を用いるSRP-based SRの動作例を示すシーケンス図
【図１５】他の実施の形態に係る先行信号を用いるSRP-based SRを行う無線通信装置（SR initiator）の構成例を示すブロック図
【図１６】他の実施の形態に係るOBSS PD-based SRの動作例を示すシーケンス図
【発明を実施するための形態】
【００１７】
以下、本開示の各実施の形態について図面を参照して詳細に説明する。
【００１８】
［SRP based SR］
図１を用いて、SRP based SRについて詳細に説明する。
【００１９】
自BSSの周辺に存在するOBSSに所属するAP（OBSS AP）は、上り信号（例えば、OFDMA（Orthogonal Frequency Division Multiple Access）信号）の送信を促す制御信号であるトリガーフレーム（Trigger frame）を、所属するOBSS内のSTA（OBSS STA）宛に送信する。ここで、Trigger frameを含むデータフレームを「DSRP PPDU（Delayed SRP Physical layer Protocol Data Unit）」と呼ぶ。自BSSのSR initiatorは、OBSS APからOBSS STAへ送信されたDSRP PPDUを受信する（図１の左側を参照）。
【００２０】
なお、「SR initiator」とは、受信したOBSS信号により得られるSRPが所定の値をとる場合にSR送信を試みる装置（AP又はSTA）である。また、SR送信においてSR initiatorの通信相手である装置（AP又はSTA）を「SR responder」と呼ぶ。
【００２１】
SR initiatorは、OBSSが使用している無線リソースを再利用するために、OBSSへの干渉を低減する送信電力を導出する。
【００２２】
具体的には、SR initiatorは、受信したDSRP PPDUのSIG-A-fieldに含まれるBSS color、及び、Trigger frameのCommon field内にあるSpatial reuse subfieldの値により定義されたOBSS APのSRPを取得する（例えば、非特許文献３を参照）。SRPは、次式（1）で表される。
SRP = TXPWRAP + Acceptable receiver interference levelAP     …（1）
【００２３】
式(1)において、TXPWRAPはOBSS APの送信電力を示し、Acceptable receiver interference levelAPはOBSS APの許容干渉レベルを示す。
【００２４】
また、SR initiatorは、受信したDSRP PPDUのRSSI（RSSITrigger frame）を測定する。
【００２５】
そして、SR initiatorは、SRP及びRSSIを用いて、SR信号の送信電力（TXPWRSR initiator）を次式（2）から導出する。
TXPWRSR initiator < SRP - RSSItrigger frame          …（2）
【００２６】
SR initiatorは、導出した送信電力を用いて、SR responderに対してSR信号を送信する。式(2)から導出された送信電力を用いることにより、SR initiatorからSR responderへのSR送信によるOBSSに対する与干渉を低減できる（図１の右側を参照）。
【００２７】
SRP-based SRでは、SR initiatorは、Trigger frameから検知したOBSS STAの上り信号が送信されている期間（SRP opportunity）の間に、SR initiatorと同じBSSに属しているSR responderに対して、導出した送信電力でSR信号を送信することにより、無線リソースの再利用を行い、システム性能を向上する。
【００２８】
ここで、SR initiatorがOBSSに対する与干渉を低減した送信電力でSR responderへのSR送信を行う場合、SR信号は通常の送信電力よりも低電力で送信される。このため、SR responderにおける干渉は小さいことが望ましい。
【００２９】
しかしながら、図２に示すように、SR responderがOBSS（図２ではSTA1）に対して近接している場合、OBSS（STA1）における非SR送信は、SR responderにとって大きな干渉となり、SR responderにおけるSR信号の受信成功率が低下する恐れがある。また、SR responderにおいて受信に失敗したSR信号は、干渉低減の対象であるOBSS（図２ではAPを含むOBSS）よりもSR initiatorに近接している、干渉低減の対象ではないOBSS（図２ではSTA2を含むOBSS）に対して干渉源となり得る。
【００３０】
このように、SR responderの無線チャネル状況に依存して、SR送信においてOBSSから干渉を受け、SR responderにおけるSR信号の受信成功率が低下し、システム性能が劣化する場合がある。
【００３１】
そこで、本開示の一態様では、SR送信においてOBSSから受ける干渉を低減する方法について説明する。
【００３２】
（実施の形態１）
［無線通信システムの構成］
本実施の形態に係る無線通信システムでは、複数のBSSが隣接して存在している。無線通信システムにおいて、少なくとも１つのBSSを構成する装置（STA又はAP）は、周辺のOBSSに対してSRP-based SR（つまり、OBSSが使用している無線リソースの再利用）を行う。
【００３３】
以下では、一例として、SRP-based SRを行うSR initiator（無線通信装置）１００及びSR responder（無線通信装置）２００を備える。すなわち、無線通信装置１００は、無線通信装置２００に対して、SR信号を送信する。例えば、SR initiatorはSTAであり、SR responderはAPである。
【００３４】
図３は、本実施の形態に係る無線通信装置１００（SR initiator）の一部構成を示すブロック図である。図３に示す無線通信装置１００において、SR送信リソース制御部１０７は、第１のBSS内の他の無線通信装置（SR responder）から送信される無線品質情報に基づいて、第１のBSS以外の第２のBSS（すなわち、OBSS）に対するSR（例えば、SRP-based SR）によって送信されるSR信号の送信リソースを決定する。無線送受信部１０１は、送信リソースを用いて、SR信号を送信する。
【００３５】
［SR initiatorの構成］
図４は、本実施の形態に係る無線通信装置１００（SR initiator）の構成例を示すブロック図である。無線通信装置１００は、SR responderである無線通信装置２００からの無線品質情報に基づいて、SR信号に対する送信リソースを決定し、SR信号を所定の期間内で送信する。
【００３６】
無線通信装置１００は、無線送受信部１０１と、受信電力測定部１０２と、復調部１０３と、復号部１０４と、SR送信電力低減部１０５と、無線品質情報保持部１０６と、SR送信リソース制御部１０７と、符号化部１０８と、Preamble生成部１０９と、変調部１１０と、を含む。なお、SR送信電力低減部１０５及びSR送信リソース制御部１０７は、SR制御部を構成する。
【００３７】
無線送受信部１０１は、OBSS（例えば、OBSS AP又はOBSS STA）から送信された無線信号（OBSS信号）を、アンテナを介して受信し、無線信号に対してダウンコンバート、A/D変換等の所定の無線受信処理を施し、無線受信処理後の受信信号を受信電力測定部１０２及び復調部１０３に出力する。
【００３８】
また、無線送受信部１０１は、変調部１１０から入力されるパケット信号に対してD/A変換、キャリア周波数にアップコンバート等の所定の無線送信処理を施し、SR送信リソース制御部１０７から入力される送信電力情報（後述する）に示される送信電力に従って増幅した高周波信号（すなわち、SR信号）を、アンテナを介して送信する。
【００３９】
受信電力測定部１０２は、無線送受信部１０１から入力される受信信号（つまり、OBSS信号）を用いて受信電力（例えば、RSSI）を測定し、測定したRSSIをSR送信電力低減部１０５に出力する。
【００４０】
復調部１０３は、無線送受信部１０１から入力される受信信号に含まれるPreambleを検出し、Preambleに含まれる制御情報に基づいて、Trigger frameを含む受信データを抽出し、受信データを復調する。復調部１０３は、制御情報、及び、復調後の受信データを復号部１０４に出力する。
【００４１】
復号部１０４は、復調部１０３から入力されるPreambleに含まれる制御情報に基づいて、受信データを復号し、Trigger frameを取得する。そして、復号部１０４は、復号したTrigger frame、及び、Preambleに含まれる制御情報を、SR送信電力低減部１０５、及び、SR送信リソース制御部１０７に出力する。
【００４２】
SR送信電力低減部１０５は、復号部１０４から入力されるTrigger frameに含まれる制御情報に基づいて、SR送信の許可の有無を判断する。例えば、SR送信電力低減部１０５は、Trigger frameのCommon fieldに含まれるSpatial reuse subfieldの値が「SRP_DISALLOW」及び「SRP_AND_NON-SRG_OBSS-PD_PROHIBITED」以外の場合、SR送信を許可されたと判断する。すなわち、SR送信電力低減部１０５は、Spatial reuse subfieldの値が「SRP_DISALLOW」又は「SRP_AND_NON-SRG_OBSS-PD_PROHIBITED」の場合、SR送信を許可されていない（非許可）と判断する。
【００４３】
SR送信電力低減部１０５は、SR送信を許可されたと判断した場合、SR送信における送信電力の低減を行う。具体的には、SR送信電力低減部１０５は、Trigger frameに含まれるSRP[dBm]と、受信電力測定部１０２から入力されるTrigger frameのRSSI（RSSItrigger frame）とを用いて、式（2）を満たす送信電力（TXPWRSR initiator）を決定する。SR送信電力低減部１０５は、決定した送信電力を示す情報をSR送信リソース制御部１０７に出力する。
【００４４】
一方、SR送信電力低減部１０５は、SR送信が非許可と判断した場合、SR送信リソース制御部１０７に対して何も出力しない（出力OFF）、又は、SR送信リソース制御部１０７に対してSR未送信を指示する情報を出力することで、SR送信を中止する。また、SR送信電力低減部１０５は、例えば、実装上の制約等で、式（2）を満たす送信電力に低減できない場合にも、SR送信を中止してもよい。
【００４５】
無線品質情報保持部１０６は、無線通信装置２００（SR responder）から受信した無線品質情報を保持する。例えば、無線品質情報は、マネジメントフレーム又はコントロールフレームを介して、所定周期又は所定タイミングで無線通信装置２００から通知されてもよい。また、無線品質情報は、所定の帯域毎の無線品質を示す情報であってもよい。無線品質情報保持部１０６は、例えば、直近に受信した無線品質情報をSR送信リソース制御部１０７に出力する。なお、無線品質情報の詳細については後述する。
【００４６】
SR送信リソース制御部１０７は、OBSSに対するSR送信において送信されるSR信号のSR送信リソース（例えば、時間リソース、周波数リソース、送信電力リソース）を決定する。例えば、SR送信リソース制御部１０７は、SR信号の時間リソース（SRP opportunityとも呼ばれる）を、Trigger frameから取得したTrigger-based PPDU（非SR信号)のパケット長に関する情報に基づいて、Trigger-based PPDUより短い時間に設定する。また、SR送信リソース制御部１０７は、周波数リソースについて、無線品質情報保持部１０６から入力される所定帯域毎の無線品質情報に基づいて、帯域毎にSR送信の可否を決定する。なお、SR送信リソース制御部１０７は、SR送信可能な帯域が無い場合、SR送信を中止してもよい。また、SR送信リソース制御部１０７は、送信電力リソースについて、SR送信電力低減部１０５から入力される情報に示される送信電力に設定する。
【００４７】
そして、SR送信リソース制御部１０７は、決定したSR送信リソースを示す情報（時間リソース情報、送信帯域情報、送信電力情報）を、符号化部１０８、Preamble生成部１０９、無線送受信部１０１にそれぞれ出力する。
【００４８】
なお、SR送信リソース制御部１０７におけるSR信号の周波数リソースの決定方法の詳細については後述する。
【００４９】
符号化部１０８は、SR送信リソース制御部１０７から入力される時間リソース情報に示される区間内で送信可能なPSDU（PHY Service Data Unit）長を決定し、無線通信装置２００（SR responder）における受信品質推定値（無線品質情報等）から求めたMCS（Modulation and coding scheme）を用いて、SR信号（データ等を含む）を符号化し、符号化後の信号を変調部１１０に出力する。
【００５０】
Preamble生成部１０９は、SR送信リソース制御部１０７から入力される送信帯域情報に基づいて、SR信号の帯域割当情報（RU allocation情報とも呼ばれる）を含む制御情報と、参照信号と、を含むPreambleを生成し、生成したPreambleを変調部１１０に出力する。なお、SR信号の帯域割当情報の生成方法の詳細については後述する。
【００５１】
変調部１１０は、符号化部１０８から入力される信号に変調（例えば、QAM（Quadrature amplitude modulation）変調）を施す。そして、変調部１１０は、変調信号を、Preambleに含まれるSR信号の帯域割当情報に示される帯域（SR送信可能な帯域）に割り当て、IFFT（Inverse Fast Fourier Transform）処理を施すことでOFDM（Orthogonal Frequency Division Multiplexing）信号を生成し、OFDM信号で構成されるデータ信号を生成する。そして、変調部１１０は、データ信号に対してPreambleを付加した無線フレーム（パケット信号）を生成し、パケット信号を無線送受信部１０１へ出力する。
【００５２】
［SR responderの構成］
図５は、本実施の形態に係る無線通信装置２００（SR responder）の構成を示すブロック図である。無線通信装置２００は、SR initiatorである無線通信装置１００に対して所定の帯域毎の無線品質情報（例えば、干渉レベル、SINR（Signal to Interference and Noise Ratio）等の情報）を送信するとともに、無線通信装置１００からのSR信号を受信する。
【００５３】
無線通信装置２００は、無線送受信部２０１と、復調部２０２と、復号部２０３と、無線品質測定部２０４と、無線品質情報生成部２０５と、変調部２０６と、を含む。
【００５４】
無線送受信部２０１は、アンテナを介してBSS（例えば、SR initiator）又はOBSS（例えば、OBSS AP又はOBSS STA）からの信号を受信し、受信信号にダウンコンバート、A/D変換等の所定の無線受信処理を施し、無線受信処理後の受信信号を復調部２０２又は無線品質測定部２０４に出力する。
【００５５】
また、無線送受信部２０１は、変調部２０６から入力される信号（無線品質情報を含む）に対してD/A変換、キャリア周波数にアップコンバート等の所定の無線送信処理を施し、アンテナを介して無線品質情報を、所属するBSS内のSTA（無線通信装置１００を含む）に報知する。
【００５６】
復調部２０２は、無線送受信部２０１から入力される受信信号からPreambleを検出し、Preambleに含まれる帯域割当情報から周波数割当情報を取得する。そして、復調部２０２は、周波数割当情報に基づいて、所望データ（SR信号に相当）が含まれる無線フレームを抽出し、復号部２０３に出力する。
【００５７】
復号部２０３は、復調部２０２から入力される受信信号に含まれる制御情報に基づいて、受信データ（SR信号）を復号し、SR信号に含まれるデータを取得する。
【００５８】
無線品質測定部２０４は、無線送受信部２０１から入力される受信信号（例えば、OBSS信号又は所属するBSSの信号）を用いて、無線品質（受信電力又は干渉レベル）を測定し、測定結果を無線品質情報生成部２０５へ出力する。なお、無線品質測定部２０４における無線品質測定の詳細については後述する。
【００５９】
無線品質情報生成部２０５は、無線品質測定部２０４から入力される測定結果を含む無線品質情報を生成し、無線品質情報を変調部２０６へ出力する。
【００６０】
例えば、無線品質情報生成部２０５は、無線品質測定部２０４から入力される測定結果を含む、SR initiator（無線通信装置１００）宛のマネジメントフレーム又はコントロールフレームを生成する。例えば、SR responderがAPの場合、無線品質情報生成部２０５は、マネジメントフレームであるビーコンフレーム、又は、コントロールフレームであるTrigger frameを用いてもよい。また、SR responderがSTAの場合、無線品質情報生成部２０５は、SR initiatorであるAP（無線通信装置１００）が送信したTrigger typeがBQRP（Bandwidth Query Report Poll）のTrigger frameへの応答として、BQR（Bandwidth Query Report）を用いてもよい。
【００６１】
変調部２０６は、無線品質情報生成部２０５から入力される無線品質情報に変調を施した信号を所定の帯域に割り当て、無線送受信部２０１に出力する。
【００６２】
［無線通信装置１００及び無線通信装置２００の動作］
次に、本実施の形態の無線通信装置１００及び無線通信装置２００の動作について詳細に説明する。
【００６３】
本実施の形態では、SR initiator（無線通信装置１００）がSR responder（無線通信装置２００）からの無線品質情報に基づいて、SR信号に対するSR送信リソース（送信帯域及び送信電力を含む）を決定する。
【００６４】
図６は、本実施の形態に係る無線通信システムの動作の一例を示すシーケンス図である。図６は、一例として、所定のBSSに所属するSR initiator及びSR responderが、当該BSSに近接するOBSS（OBSS AP及びOBSS STAを含む）に対してSRP-based SRを適用する場合の動作を示す。
【００６５】
図６において、SR responder（無線品質測定部２０４）は、所定のBSS又はOBSSからの信号を用いて、所定の帯域毎の受信電力又は干渉レベルを測定し、測定結果に基づいて無線品質情報を生成する（ＳＴ１０１）。そして、SR responderは、生成した無線品質情報を含む信号を、BSS内のSTA（SR initiatorを含む）に対して報知する（ＳＴ１０２）。
【００６６】
なお、ＳＴ１０２において、無線品質情報は、予め規定された所定のタイミング又は所定の周期で報知されてもよい。例えば、SR responderは、ＳＴ１０１において無線品質を所定の周期で測定し、無線品質が測定される度に無線品質情報を報知してもよく、上記以外の他のタイミングで報知されてもよい。
【００６７】
OBSS APは、OBSS STAに対して上り送信を促すTrigger frameを生成し、Trigger frameをOBSS STA宛に送信する（ＳＴ１０３）。OBSS APからOBSS STAに送信されたTrigger frameは、SR initiatorでも受信される。
【００６８】
SR initiator（SR送信電力低減部１０５）は、ＳＴ１０３においてOBSS APから受信したTrigger frameから取得したOBSS APの干渉許容値（SRP）、及び、Trigger frameを用いて測定されたRSSIを用いて、OBSS APへの干渉を低減するためのSR信号の送信電力（以下、SR送信電力と呼ぶこともある）を決定する（ＳＴ１０４）。
【００６９】
SR initiator（SR送信リソース制御部１０７）は、ＳＴ１０３においてOBSS APから受信したTrigger frameから取得した、OBSS STAが送信する非SR信号のパケット長の情報に基づいて、SR送信期間（SRP opportunity。つまり、時間リソース）を決定する（ＳＴ１０５）。また、SR initiator（SR送信リソース制御部１０７）は、ＳＴ１０２においてSR responderから受信した所定の帯域毎の無線品質情報に基づいて、所望の受信品質が期待できるSR信号の送信リソース（周波数リソース）を決定する（ＳＴ１０５）。
【００７０】
なお、ＳＴ１０５において、SR initiatorは、例えば、ＳＴ１０３で受信したTrigger frameに基づいて得られる、非SR信号の送信期間(SRP opportunityとも呼ばれる)においてSR信号を送信する場合にSR信号の送信リソースを決定し、非SR信号の送信期間にSR信号を送信しない場合（例えば、送信不可の場合）、SR信号の送信リソースを決定しなくてもよい。これにより、SR initiatorは、SR信号の送信が必要である場合のみ、SR信号に対する送信リソース制御を行えばよく、処理量を低減できる。
【００７１】
一方で、OBSS STAは、ＳＴ１０３においてOBSS APから受信したTrigger frameによる指示に基づいて、OBSS APへ上り信号（すなわち、非SR信号）を送信する（ＳＴ１０６）。
【００７２】
SR initiatorは、ＳＴ１０５で決定したSR送信期間内(SRP opportunity)において、ＳＴ１０４で決定したSR送信電力及びＳＴ１０５で決定した送信リソースを用いて、SR信号をSR responderへ送信する（ＳＴ１０７）。
【００７３】
SR responderは、ＳＴ１０７においてSR initiatorから送信されたSR信号を受信し、受信したSR信号を復号する（ＳＴ１０８）。
【００７４】
また、OBSS APは、ＳＴ１０６においてOBSS STAから送信された非SR信号を受信し、受信した非SR信号を復号する（ＳＴ１０９）。
【００７５】
図７及び図８は、本実施の形態に係るSRP-based SR（無線品質情報を用いたSRリソース制御）の動作例を示す。
【００７６】
図７では、SR responderは、OBSSからの被干渉が小さいことを示す無線品質情報をSR initiatorに報知する。この場合、SR initiatorは、受信した無線品質情報に基づいて、SR送信可能と判断する。そこで、SR initiatorは、利用可能な送信リソース（つまり、OBSSからの干渉が小さく所望の受信品質が期待できる送信リソース）を用いてSR送信を行う。
【００７７】
すなわち、図７では、SR initiatorは、OBSS STAからの非SR信号による干渉が小さいリソースを用いてSR信号を送信するので、SR responderにおけるSR信号の復号誤りの発生を低減できる。
【００７８】
また、図７では、SR initiatorから送信されるSR信号がOBSS APに対する干渉となり得る。ただし、SR initiatorでの送信電力制御（図６のＳＴ１０４）によって、干渉電力が許容値以下になるように送信電力が低減されているため、OBSS APにおける非SR信号の復号誤りの発生を低減できる。
【００７９】
また、図７では、SR送信の与干渉低減処理の対象でないOBSS（図７ではSTA2）は、SR送信により干渉を受けるため送信できない。
【００８０】
一方、図８では、SR responderは、OBSSからの被干渉が大きいことを示す無線品質情報をSR initiatorに報知する。この場合、SR initiatorは、受信した無線品質情報に基づいて、SR送信不可能と判断する。よって、SR initiatorは、SR送信を中止する。
【００８１】
すなわち、図８では、SR initiatorは、OBSS STAからの非SR信号による干渉が大きく、SR responderにおけるSR信号の復号誤りが発生しやすいリソースでは、SR送信を行わない。これにより、図８では、SR信号が送信されないので、OBSS APにおける非SR信号の復号誤りの発生を低減できる。さらに、図８では、SR送信の与干渉低減処理の対象でないOBSS（図８ではSTA2）は、SR送信による干渉が無くなるため、送信可能となる。
【００８２】
図７及び図８に示すように、SR initiatorは、SR responderからの無線品質情報に基づいて、OBSS（ここではOBSS STA）から送信される非SR信号による干渉を考慮してSR信号の送信可能な送信リソース（帯域）を決定し、送信可能な送信リソースにおいてSR信号を送信し、送信可能な送信リソース以外のリソースではSRを送信しない。これにより、SR responderの無線チャネル状況（周辺環境など）によって非SR信号が干渉になり得る場合でも、干渉が小さい帯域でSR信号が送信され、干渉を受けやすい帯域ではSR信号が送信されないので、SR responderにおけるSR信号の復号誤りの発生を低減できる。
【００８３】
［SR信号の周波数リソース決定方法］
次に、無線通信装置１００（SR initiator）のSR送信リソース制御部１０７におけるSR信号の周波数リソースの決定方法についてより詳細に説明する。
【００８４】
SR送信リソース制御部１０７は、無線通信装置２００（SR responder）から受信した無線品質情報に基づいて、SR信号の周波数リソースを決定する。
【００８５】
＜無線品質情報＞
ここで、無線品質情報はSR responderが所定の帯域毎に生成した無線品質を示す情報であり、例えば、以下の情報を示す。
（１）SR responderがSR信号を受信可能か否か（つまり、SR initiatorがSR信号を送信可能か否か）を示すCCA結果(Idle/Busy)
（２）SR responderが測定した干渉レベルが所定の閾値より高いか低いかを示す情報
（３）SR responderが測定した干渉レベル
（４）SR initiatorからSR responderに対する受信品質情報（例えば、SINR）
【００８６】
例えば、（２）の場合、SR送信リソース制御部１０７は、干渉レベルが所定の閾値より低いことを示す無線品質情報を受信した場合、SR responderにおいてSR信号を受信できると判断すればよい。また、（３）の場合、SR送信リソース制御部１０７は、干渉レベルが所定の閾値より低いか否かを判断し、干渉レベルが閾値より低い場合、SR responderにおいてSR信号を受信できると判断すればよい。また、（４）の場合、SR送信リソース制御部１０７は、SINRが所定の閾値より高いか否かを判断し、SINRが閾値より高い場合、SR responderにおいてSR信号を受信できると判断すればよい。
【００８７】
また、無線品質情報を定義する所定の帯域は、例えば、図９に示すように、OFDMAの最小割当単位（RU（Resource Unit）単位）の帯域としてもよい。図９は、一例として、上記（１）のSR initiatorがSR信号を送信可能か否か（送信可能又は送信不可能）を示すRU毎の無線品質情報（SR可否情報）である。
【００８８】
図９の場合、SR送信リソース制御部１０７は、SR送信が許可されたRU（干渉レベルが小さいRU）にSR信号の周波数リソースを割り当てる。一方、SR送信リソース制御部１０７は、SR送信が非許可のRU（干渉レベルが大きいRU）にはSR信号の周波数リソースを割り当てない。
【００８９】
ここで、Trigger frameで指示されるOBSS STAからの非SR信号は、UL OFDMA信号であり、RU単位の周波数多重により複数のSTAからの信号が多重された信号である。そのため、非SR信号では、複数のSTAによるOFDMA割当に依存して、RU単位で干渉レベルが大きく変動することが想定される。
【００９０】
よって、RU単位で無線品質情報を定義することにより、SR送信リソース制御部１０７は、非SR信号を送信するSTAのOFDMA割当に依存した干渉レベルの増減を考慮してSR信号の周波数リソースを割り当てることが可能となり、SR responderでのSR信号の受信成功率の低下を防止でき、システム性能を向上できる。
【００９１】
または、無線品質情報を定義する所定の帯域は、例えば、図１０に示すように、20MHz帯域単位の帯域としてもよい。図１０は、一例として、上記（１）のSR initiatorがSR信号を送信可能か否か（送信可能又は送信不可能）を示す20MHz帯域のチャネル毎の無線品質情報（SR可否情報）である。
【００９２】
図１０の場合、SR送信リソース制御部１０７は、SR送信が許可された帯域（干渉レベルが小さい20MHz channel）にSR信号の周波数リソースを割り当てる。一方、SR送信リソース制御部１０７は、SR送信が非許可の帯域（干渉レベルが大きい20MHz channel）にSR信号の周波数リソースを割り当てない。
【００９３】
ここで、SR responderが受ける干渉の平均的な干渉レベルは周辺に存在するAPの配置に依存する。また、各APが設定するPrimary channelは20MHz単位であるため、SR responderが受ける干渉に関しては、周辺APの配置に依存して、20MHz単位で干渉レベルが大きく変動することが想定される。
【００９４】
よって、20MHz単位で無線品質情報を定義することにより、SR送信リソース制御部１０７は、SR responderの周辺AP環境に依存した干渉レベルの増減を考慮してSR信号の周波数リソースを割り当てることが可能となり、SR responderでのSR信号の受信成功率の低下を防止でき、システム性能を向上できる。
【００９５】
［SR信号の帯域割当情報の生成方法］
次に、無線通信装置１００（SR initiator）のPreamble生成部１０９におけるSR送信信号の帯域割当情報（RU allocation情報）の生成方法についてより詳細に説明する。
【００９６】
Preamble生成部１０９は、SR送信リソース制御部１０７から入力される送信帯域情報に基づいて、シグナリングビット量と割当自由度とを考慮して、帯域割当情報（RU allocation情報）を決定する。
【００９７】
例えば、Preamble生成部１０９は、所定の帯域毎（例えばRU単位又は20MHz単位）に、SR信号の割当帯域の有無を示すフラグをビットマップ配置することにより、帯域割当情報を生成してもよい。これにより、SR信号の周波数リソースを所定帯域毎に制約なく（すなわち、自由に）割り当てることができる。一方で、所定の帯域毎のビットマップ配置では、シグナリングビット量が増加してしまう。
【００９８】
または、Preamble生成部１０９は、複数の連続するRUで構成されるRUグループ（RUG）毎に、SR信号の割当帯域の有無を示すフラグをビットマップ配置することにより、帯域割当情報を生成してもよい。これにより、RU単位のビットマップ配置と比較して、シグナリングビット量を低減できる。一方で、SR信号の周波数リソース割当に、RUG単位という制約が生じ、RU単位の割当と比較して、スケジューリングゲインが低下してしまう。
【００９９】
また、Preamble生成部１０９は、Trigger frameのUser Info fieldに含まれるRU Allocation subfieldを再利用することで帯域割当情報を生成してもよい。これにより、既存システムの割当ルールを適用することで実装が容易になり、シグナリングビット量も低減できる。一方で、SR信号の周波数リソース割当に制約が生じ、スケジューリングゲインが低下してしまう。
【０１００】
Preamble生成部１０９は、無線通信システムにおいて想定されるオーバーヘッドの許容量（シグナリングビット量）と、期待できるスケジューリングゲインとを考慮して生成方法を決定し、帯域割当情報を生成すればよい。これにより、システム性能を向上できる。
【０１０１】
なお、上述したSR信号の帯域割当情報の生成方法は、SR responderの無線品質情報生成部２０５においても同様に適用できる。具体的には、無線品質情報生成部２０５は、測定した干渉レベルの大小、又は、SR信号の送信可否（受信可否）といった無線品質情報を、所定の帯域（例えば、RU又は20MHz）毎に１ビットの情報として通知してもよい。この場合、無線品質情報生成部２０５は、上述したように、シグナリングビット量と無線品質情報の通知の自由度とを考慮して、無線品質情報の生成方法を決定すればよい。これにより、無線品質情報生成部２０５は、無線通信システムにおいて想定されるオーバーヘッドの許容量と、期待できるスケジューリングゲインとを考慮した適した無線品質情報を生成することができ、システム性能を向上できる。
【０１０２】
以上、帯域割当情報の生成方法について説明した。
【０１０３】
［効果］
以上のように、本実施の形態によれば、無線通信装置１００（SR initiator）は、所属するBSS内の他の無線通信装置２００（SR responder）から送信される無線品質情報に基づいて、所属するBSS以外のOBSSに対するSRによって送信されるSR信号の送信リソース（周波数リソース）を決定し、決定した送信リソースを用いてSR信号を送信する。
【０１０４】
これにより、SR initiatorは、SR responderにおける無線チャネル状況（例えば、干渉状況）に応じて、SR信号の送信リソース（帯域）を決定し、SR信号を送信できる。よって、本実施の形態によれば、SR responderにおいて、OBSSの非SR送信によるSR送信を行うBSS（SR responder）への与干渉を低減し、SR信号の受信成功率を向上させて、システム性能を向上できる。
【０１０５】
また、本実施の形態では、SR initiatorは、SR responderにおいてSR信号の受信成功率が低いと判断した帯域ではSR信号を送信しない。これにより、SR信号が送信されない帯域では、干渉低減の対象であるOBSSよりもSR initiatorに近接している、干渉低減の対象ではないOBSSに対して、SR信号が干渉源となることを防ぐことができる。
【０１０６】
（実施の形態２）
本実施の形態では、SR initiatorがBSS colorに基づいてSR送信を制御する方法について説明する。
【０１０７】
なお、以下の説明では、特定のBSS colorを有するBSSのグループを「SRG（Spatial Reuse Group）」と呼ぶ。
【０１０８】
異なるSRGに属するBSSは、異なるオペレータによって管理される。そのため、本実施の形態では、SR initiatorは、所属するBSSと異なるSRGに所属するOBSSに対してSR送信を行う場合、SR送信の対象となるOBSS以外の周辺OBSSに対して干渉を与えないようにSR送信を制御する。
【０１０９】
本実施の形態に係るSR initiator及びSR responderは、実施の形態１に係る無線通信装置１００及び無線通信装置２００と基本構成が共通するので、図４及び図５を援用して説明する。
【０１１０】
[SR initiatorの構成]
本実施の形態に係る無線通信装置１００（SR initiator）は、OBSSから送信されるTrigger frameを含む無線フレームを受信し、取得したOBSSのBSS color又はSRGと、SR responderから送信される無線品質情報とに基づいてSR送信の可否を判断し、SR送信可能である場合、SR信号を所定の期間内で送信する。
【０１１１】
本実施の形態に係る無線通信装置１００は、実施の形態１に係る無線通信装置１００に対して、SR送信リソース制御部１０７の動作が異なる。
【０１１２】
また、無線品質情報保持部１０６が保持する無線品質情報は、SRG毎又はBSS color（BSS）毎の無線品質情報である。
【０１１３】
具体的には、SR送信リソース制御部１０７は、復号部１０４から入力されるPreambleに含まれる制御情報から、SR信号に対する干渉源となるOBSS（非SR信号を送信するOBSS STAが所属するOBSS）に対応するBSS colorを取得する。
【０１１４】
また、SR送信リソース制御部１０７は、自機（無線通信装置１００）が所属するBSS内のAPが送信したビーコンフレームに含まれるSRG情報（例えば、SRG BSS Color Bitmap subfield）に基づいて、SR信号の干渉源となるOBSS（BSS color）が、自機が所属するBSSと同一SRGであるか否かを判断する。なお、以下の説明では、SR initiator及びSR responderが所属するBSS（自BSS）が有するBSS colorと同一グループに所属するBSS colorを有するBSSを単に「SRG」と呼び、他のグループに所属するBSS colorを有するBSSを「Non-SRG」と呼ぶ。
【０１１５】
そして、SR送信リソース制御部１０７は、無線品質情報保持部１０６から入力される、SRG毎又はBSS color毎の無線品質情報に基づいて、SR送信の可否を決定する。例えば、SR送信リソース制御部１０７は、SRG毎の無線品質情報のうち、SR信号の干渉源となるOBSSが属するグループ（SRG又はNon-SRG）の無線品質情報に基づいてSR送信の可否を決定する。または、SR送信リソース制御部１０７は、BSS color毎の無線品質情報のうち、SR信号の干渉源となるOBSSに対応するBSS colorの無線品質情報に基づいて、SR送信の可否を決定する。
【０１１６】
SR送信リソース制御部１０７は、SR送信が不可能と判断した場合、SR送信リソース制御部１０７からの出力をOFFにする、又は、SR未送信を指示する情報を出力することで、SR送信を中止する。
【０１１７】
一方、SR送信リソース制御部１０７は、SR送信が可能と判断した場合、SR信号の時間リソース及び送信電力リソースを、実施の形態１と同様に決定する。つまり、SR送信リソース制御部１０７は、送信電力リソースとして、SR送信電力低減部１０５から入力される送信電力を設定する。また、SR送信リソース制御部１０７は、時間リソースとして、Trigger-based PPDU（非SR信号）のパケット長より短い時間を設定する。また、SR送信リソース制御部１０７は、周波数リソースとして、例えば、Primary channelを含むSR信号の送信データサイズに応じた所定の帯域を設定する。
【０１１８】
SR送信リソース制御部１０７は、決定したSR送信リソースを、符号化部１０８、無線送受信部１０１に出力する。なお、SR送信リソース制御部１０７における、BSS又はSRGに応じたSR送信リソースの決定方法の詳細については後述する。
【０１１９】
[SR responderの構成]
本実施の形態に係る無線通信装置２００（SR responder）は、所定のBSS colorに関するグループ（SRG又はNon-SRG）毎又はBSS color毎の干渉レベル、SINR、SR送信可否等を示す無線品質情報を、無線通信装置１００に送信するとともに、無線通信装置１００からSR信号を受信する。
【０１２０】
本実施の形態に係る無線通信装置２００は、実施の形態１に係る無線通信装置２００に対して、無線品質測定部２０４及び無線品質情報生成部２０５の動作が異なる。
【０１２１】
具体的には、無線品質測定部２０４は、BSS color単位又はSRG単位で無線品質を測定する。すなわち、無線品質測定部２０４は、無線送受信部２０１から入力される受信信号の受信電力又は干渉レベルを、BSS color毎又はSRG毎に測定し、測定結果を無線品質情報生成部２０５に出力する。
【０１２２】
そして、無線品質情報生成部２０５は、BSS color単位又はSRG単位で測定された無線品質の測定結果を用いて、BSS color毎の無線品質情報又はSRG毎の無線品質情報を生成する。
【０１２３】
［SR信号の送信可否の判断方法］
次に、無線通信装置１００（SR initiator）のSR送信リソース制御部１０７における、SR信号の送信可否の判断方法について詳細に説明する。
【０１２４】
SR送信リソース制御部１０７は、SR responderから受信した無線品質情報に基づいて、SR送信可否を判断する。
【０１２５】
＜無線品質情報＞
Non-SRGであるBSSは、SRGであるBSS（自BSSを含む）と異なるオペレータによって管理されている。そのため、SR initiatorが、Non-SRGであるOBSSに対してSR送信を適用する場合、対象となるOBSS以外のOBSSに対する与干渉を低減することが想定される。
【０１２６】
そこで、本実施の形態では、SR responderの無線品質測定部２０４は、受信信号のBSS colorを判定し、SRG及びNon-SRGの各々の無線品質（例えば、干渉レベル）を測定する。
【０１２７】
そして、SR responderの無線品質情報生成部２０５は、SRG及びNon-SRGにそれぞれ閾値を設定し、無線品質測定部２０４で測定された受信信号の干渉レベルが閾値以下の場合にSR送信可能（つまり、SR信号を受信可能）と判断し、干渉レベルが閾値以上の場合にSR送信不可能（つまり、SR信号を受信不可能）と判断してもよい。つまり、無線品質情報は、SRG及びNon-SRGの各々に対する無線品質を示す。例えば、図１１は、無線品質情報生成部２０５において生成される、SRG及びNon-SRGに対するSR信号の送信可否を示す無線品質情報（SR可否情報）を示す。
【０１２８】
これにより、SR responderの周辺のOBSS環境に依存したSRG及びNon-SRG毎の干渉レベルの増減を考慮して、SR送信の可否を決定することできるので、SR responderでのSR信号の受信成功率の低下を防止でき、システム性能を向上できる。
【０１２９】
なお、上述したように、Non-SRGは、SR initiator及びSR responderが所属するBSSとは異なるオペレータによって管理されるので、SR送信によるNon-SRGに対する与干渉は小さいことが望ましい。そこで、例えば、Non-SRGであるOBSSに対するSR送信による与干渉を低減するため、SR responderにおける無線品質情報の生成において、Non-SRGの干渉レベルに対する閾値は、SRGの干渉レベルに対する閾値と比較して小さくしてもよい。これにより、SRGと比較すると、Non-SRGに対してSR送信が適用される可能性が低くなる。こうすることで、Non-SRGでは、SR送信によって干渉を受ける可能性を低減することができる。
【０１３０】
また、無線品質情報生成部２０５は、Non-SRGに対するSR送信を全て禁止し、SRGに対して干渉レベルに対する閾値を設定してもよい。例えば、無線品質情報生成部２０５は、Non-SRGに対する無線品質情報を生成しなくてもよく、Non-SRGに対する無線品質情報を常に送信不可能としてもよい。この場合、SR initiatorのSR無線リソース制御部１０７は、受信信号がSRGである場合に、無線品質情報に基づいてSR送信可否を判定すればよい。これにより、SR initiatorは、SR responderの周辺のOBSS環境に依存したSRGのみの干渉レベルの増減を考慮してSR可否を判断できるので、SR responderでのSR信号の受信成功率の低下を防止でき、システム性能を向上できる。
【０１３１】
また、SR responderに与えられる干渉は周辺OBSSの配置に依存する。OBSSの配置によっては、SR responderは特定のOBSSから強い干渉を受けることが想定される。そこで、SR responderの無線品質測定部２０４は、BSS color単位（つまり、BSS単位）で干渉レベルを測定してもよい。そして、無線品質情報生成部２０５は、全てのBSS colorに対して共通の干渉レベル閾値を設定し、図１２に示すように、BSS color毎に、干渉レベルが閾値未満であればSR送信可能と判断し、干渉レベルが閾値以上であればSR送信不可能と判断すればよい。つまり、無線品質情報は、BSS毎の無線品質を示す。これにより、SR responderの周辺のOBSS環境に依存した、個別のOBSS単位での干渉レベルの増減を考慮してSR可否を判断できるので、SR responderでのSR信号の受信成功率の低下を防止でき、システム性能を向上できる。
【０１３２】
なお、SR responderがSR initiatorに報知する無線品質情報は、図１１及び図１２に示すSR信号の送信可否を示す情報に限らない。例えば、SRG及びNon-SRGの各々の干渉レベルを示す無線品質情報が報知されてもよい。この場合、SR initiatorのSR送信リソース制御部１０７は、無線品質情報に示される干渉レベルと、設定されている閾値とに基づいて、SR送信の可否を判断すればよい。
【０１３３】
また、図１１では、SRG及びNon-SRGの２つのグループに対する無線品質情報を用いる場合について説明したが、無線品質情報は、３つ以上のグループ（例えば、SRGと、複数のNon-SRG）に対する無線品質情報を用いてもよい。
【０１３４】
［SR信号の送信リソース決定方法］
次に、SR initiatorのSR送信リソース制御部１０７におけるSR信号の送信リソースの決定方法についてより詳細に説明する。
【０１３５】
SR送信リソース制御部１０７は、SR responderから受信した無線品質情報、及び、受信信号（OBSS信号）のBSS colorに基づいて、SR送信の可否を判断する。すなわち、SR送信リソース制御部１０７は、SRG/Non-SRG毎又はBSS color毎の無線品質情報（例えば、図１１又は図１２を参照）のうち、受信信号に含まれるBSS colorが所属するグループ（SRG又はNon-SRG）の無線品質情報に基づいてSR送信の可否を判断する。
【０１３６】
SR送信リソース制御部１０７は、受信信号のBSS colorについてのSR送信の判断結果が送信可能の場合、SR信号の時間リソース及び送信電力リソースを、実施の形態１と同様に決定する。つまり、SR送信リソース制御部１０７は、送信電力リソースとして、SR送信電力低減部１０５から入力された送信電力を設定する。また、SR送信リソース制御部１０７は、時間リソースとして、Trigger-based PPDU（非SR信号）のパケット長より短い時間を設定する。また、SR送信リソース制御部１０７は、周波数リソースとして、Primary channelを含むSR信号の送信データサイズに応じた所定の帯域を設定する。
【０１３７】
一方、SR送信リソース制御部１０７は、受信信号のBSS colorについてのSR送信の判断結果が送信不可能の場合、SR送信リソース制御部１０７からの出力をOFFにする、又は、SR未送信を指示する情報を出力することで、SR送信を中止する。
【０１３８】
以上、SR信号の送信リソース決定方法について説明した。
【０１３９】
［効果］
このように、本実施の形態では、SR initiator（無線通信装置１００）は、SR responder（無線通信装置２００）からの無線品質情報に基づいて、SRG/Non-SRG単位又はBSS単位でSR送信を制御する。これにより、SR initiatorは、SR送信可能なグループ又はBSS（例えば、SR responderに対する与干渉が小さいグループ又はBSS）であるOBSSに対してSR送信を優先的に適用することができる。よって、本実施の形態によれば、SR responderにおいて、OBSSによるSR responderへの与干渉を低減し、SR信号の受信成功率を向上させて、システム性能を向上できる。
【０１４０】
また、本実施の形態では、SR initiatorは、SR responderにおいてSR信号の受信成功率が低いと判断したSRG又はBSSに対してSR送信を適用しない。これにより、干渉低減の対象であるOBSSよりもSR initiatorに近接している、干渉低減の対象ではないOBSSに対して、SR信号が干渉源となることを防ぐことができる。
【０１４１】
上述したように、SR initiator及びSR responderが所属するBSSを含むSRGと異なるNon-SRGは、異なるオペレータによって管理されることが想定される。これに対して、本実施の形態によれば、SR initiatorは、所属するBSSと異なるSRGに所属するOBSSに対してSR送信を行う場合でも、Non-SRGのOBSSからの非SR信号による干渉が大きく、SR responderにおけるSR信号の復号誤りが発生しやすい場合には、SR送信を中止する。これにより、Non-SRGでは、SR送信による干渉が無くなる。すなわち、SR initiatorは、Non-SRGにおいて、SR送信の対象となるOBSS以外の周辺OBSSに対して干渉を与えないようにSR送信を制御できる。
【０１４２】
（実施の形態３）
SR信号の送信電力に関して、OBSSへの干渉を低減するために式(2)によって最大電力が導出されるが、最小電力は決まっていない。そのため、OBSSが送信したTrigger frameから取得されるSRP及びRSSIの値によっては、SR信号の送信電力は小さくなり、SR responderにおける受信成功率が低下する場合がある。
【０１４３】
そこで、本実施の形態では、SR responderにおけるSR信号の受信品質を保証し、SR responderでのSR信号の受信成功率を向上させる方法について説明する。
【０１４４】
[SR initiatorの構成]
【０１４５】
図１３は、本実施の形態に係る無線通信装置３００の構成例を示すブロック図である。本実施の形態に係る無線通信装置３００（SR initiator）は、OBSSからのTrigger frameから得られる情報（例えば、SRP及びRSSI）、及び、SR responderからの無線品質情報に基づいて、SR送信の可否を判断し、SR送信可能な場合にSR信号を所定の期間内で送信する。
【０１４６】
なお、図１３において、実施の形態１（図４）と同一構成には同一符号を付し、その説明を省略する。具体的には、無線通信装置３００は、実施の形態１に係る無線通信装置１００に対して、SR送信電力低減部１０５を備えない点、及び、SR送信リソース制御部３０１の動作が異なる。
【０１４７】
また、無線品質情報保持部１０６が保持する無線品質情報は、SR initiator（無線通信装置３００）からSR responder（無線通信装置２００）へ通信を行うときのSR responderにおけるSINRを示す情報である。
【０１４８】
具体的には、SR送信リソース制御部３０１は、復号部１０４から入力される、Trigger frameに含まれるSRP[dBm]と、受信電力測定部１０２から入力されるTrigger frameのRSSI（RSSItrigger frame）とを用いて、SR信号の送信電力（後述する許容電力に対応。つまり、SRPから算出される送信電力）を算出する。
【０１４９】
また、SR送信リソース制御部３０１は、無線品質情報保持部１０６から取得した無線品質情報（SINR情報）に基づいて、SR responderにおいて所定のPER（Packet Error Rate）を満たす保証電力（Guaranteed power）を算出する。
【０１５０】
そして、SR送信リソース制御部３０１は、SRPから算出された送信電力が保証電力を満たさない場合（保証電力未満の場合）、SR送信不可能と判断し、SR送信を中止する。
【０１５１】
一方、SR送信リソース制御部３０１は、SRPから算出された送信電力が保証電力を満たす場合（SRPから算出される送信電力が保証電力より大きい場合）、SR送信可能と判断し、SR信号の送信リソースを決定する。具体的には、SR送信リソース制御部３０１は、時間リソース、周波数リソースを、実施の形態１又は２と同様に決定する。つまり、SR送信リソース制御部３０１は、時間リソースとして、Trigger-based PPDU（非SR信号）のパケット長より短い時間を設定し、周波数リソースとして、Primary channelを含むSR送信信号の送信データサイズに応じた所定の帯域を設定する。
【０１５２】
また、SR送信リソース制御部３０１は、SRPから算出される送信電力及び保証電力に基づいて、送信電力リソースを決定する。なお、SR送信リソース制御部３０１におけるSR送信リソース（送信電力リソース）の決定方法の詳細については後述する。
【０１５３】
[SR responderの構成]
本実施の形態に係るSR responderは、実施の形態１に係る無線通信装置２００と基本構成が共通するので、図５を援用して説明する。
【０１５４】
本実施の形態に係る無線通信装置２００（SR responder）は、SR initiatorからの受信信号を用いて、SINR等を示す無線品質情報を無線通信装置１００に送信するとともに、無線通信装置１００からSR信号を受信する。
【０１５５】
本実施の形態に係る無線通信装置２００は、実施の形態１に係る無線通信装置２００に対して、無線品質測定部２０４及び無線品質情報生成部２０５の動作が異なる。
【０１５６】
具体的には、無線品質測定部２０４は、無線送受信部２０１から入力される、SR initiatorの受信信号から受信品質（例えば、SINR）を測定し、測定結果を無線品質情報生成部２０５へ出力する。
【０１５７】
無線品質情報生成部２０５は、無線品質測定部２０４から入力される、SINRを含む測定結果を含めたSR initiator宛のマネジメントフレーム又はコントロールフレームを生成し、変調部２０６へ出力する。
【０１５８】
［SR送信信号の送信電力の決定方法］
次に、SR送信リソース制御部３０１における送信電力リソースの決定方法についてより詳細に説明する。
【０１５９】
SR initiatorがOBSSに対してSR送信を行う場合、OBSSへの与干渉の低減処理により求められるSR信号の送信電力(すなわち、SRPから算出される送信電力)によっては、周辺OBSSの配置に基づくSR responderへの干渉の影響により、SR responderにおけるSR信号の受信SINRが要求品質を満たさず、受信成功率が低下することが想定される。
【０１６０】
そこで、SR initiatorのSR送信リソース制御部３０１は、SR responderから受信した無線品質情報に示される受信品質に基づいて、SR信号の送信電力を決定する。ここで、無線品質情報に示される受信品質とは、例えば、SR initiatorがSR responderへ所定の電力で送信した際のSINRである。具体的には、SR送信リソース制御部３０１は、無線品質情報に含まれるSINR情報を用いて、所定のMCS（例えば、最もロバストなMCS）のPERが目標値を満たすために必要な送信電力（保証電力（Guaranteed power））を計算する。
【０１６１】
そして、SR送信リソース制御部３０１は、計算した保証電力と、Trigger frame に含まれるSRP[dBm]と、受信電力測定部１０２から入力されるTrigger frameのRSSI（RSSItrigger frame）とを用いて、SR信号の送信電力（TXPWRSR initiator）を以下のように決定する。
【０１６２】
SR送信リソース制御部３０１は、OBSSへの与干渉を許容値に抑えるには、SR信号の送信電力を、次式(3)に従って算出される電力(許容電力(TXPWRAllowed)と呼ぶ)未満に抑える必要がある。
TXPWRAllowed = SRP - RSSItrigger frame      …（3）
【０１６３】
具体的には、SR送信リソース制御部３０１は、許容電力が保証電力より大きい場合（Guaranteed power ＜ TXPWRAllowed）、SR信号の送信電力（TXPWRSR initiator）を、式(4.1)に示す範囲（保証電力より大きく、かつ、許容電力未満の範囲）で設定する。この場合、SR initiatorは、SR responderにおける受信品質を保証しつつ、SR送信の対象であるOBSSへの与干渉を最小とする送信電力が使用可能となる。これにより、SR送信の対象でないOBSSに対する与干渉も低減できるので、OBSSの送信機会を増加することができ、システム性能は向上する。
【数１】
2019167439.tif 000003
【０１６４】
また、SR送信リソース制御部３０１は、許容電力が保証電力以下の場合（Guaranteed power ≧ TXPWRAllowed）、SR信号の送信電力が保証電力を満たしていないためSR送信を中止（禁止）する。これにより、SR initiatorは、SR responderにおける受信成功率の低いSR送信を回避することができる。そのため、SR信号の受信成功率の低下を防止でき、システム性能は向上する。
【０１６５】
［効果］
このように、本実施の形態では、SR initiatorは、SR responderにおいてSR信号の受信品質を保証する送信電力でSR送信を行う。すなわち、SR initiatorは、SR responderにおいてSR信号の受信品質を保証できない場合にはSR送信を行わない。このように、SR initiatorは、SR responderにおける無線チャネル状況（例えば、SINR）に応じて、SR信号の送信リソース（送信電力）を決定し、SR信号を送信できる。よって、本実施の形態によれば、SR responderにおいて、OBSSによるSR responderへの与干渉を低減し、かつ、SR responderでのSR信号の受信品質を保証することにより、SR信号の受信成功率を向上させて、システム性能を向上できる。
【０１６６】
また、本実施の形態では、SR initiatorは、SR responderにおいてSR信号の受信成功率が低いと判断した帯域ではSR信号を送信しない。これにより、SR信号が送信されない帯域では、干渉低減の対象であるOBSSよりもSR initiatorに近接している、干渉低減の対象ではないOBSSに対して、SR信号が干渉源となることを防ぐことができる。
【０１６７】
以上、本開示の各実施の形態について説明した。
【０１６８】
（他の実施の形態）
（１）実施の形態１、実施の形態２及び実施の形態３のうち少なくとも２つを組み合わせて適用してもよい。例えば、SR initiatorは、実施の形態２で説明したように、SRG単位でSR信号の送信可否を判断し、さらに、SR信号を送信可能なSRGにおいて、実施の形態１で説明したように、所定の帯域単位でSR信号の送信可否を判断してもよい。また、例えば、SR initiatorは、実施の形態１及び／又は実施の形態２で説明したように、SR信号の送信可否を判断し、かつ、実施の形態３で説明したように、保証電力を満たすようにSR信号を送信してもよい。
【０１６９】
（２）実施の形態１及び実施の形態２に係る無線通信装置１００（図４を参照）において、SR送信リソース制御部１０７の処理（すなわち、送信リソースの決定）と、SR送信電力低減部１０５の処理（すなわち、SRPに基づく送信電力の低減）とは、処理順序が前後してもよい。例えば、SR送信リソース制御部１０７が無線品質情報に基づいてSR送信不可能（SR送信を中止）と判断した場合、SR送信電力低減部１０５は処理を行わない。これにより、無線通信装置１００での処理量を低減できる。
【０１７０】
（３）SR responderは、BSSの信号又はOBSS信号を受信した際に無線品質情報を更新し、SR responderが所属するBSS内のSTA宛に無線品質情報を報知してもよい。
【０１７１】
（４）上記実施の形態では、SR initiatorがSTAであり、SR responderがAPである場合について説明したが、これに限定されない。例えば、SR initiatorがAPであり、SR responderがSTAである場合でも、上記実施の形態を適用でき、同様の効果を得ることができる。
【０１７２】
なお、SR initiatorがAPであり、SR responderがSTAである場合の動作は、図６に示す動作例と同様である。すなわち、図６と同様、SR responder（STA）は、所定の周期又は所定タイミングで無線品質情報をSR initiator（AP）に送信する。SR initiator（AP）は、SR responder（STA）からの無線品質情報に基づいて、SR送信の可否を判断し、SR送信可能な場合、利用可能な送信リソースを用いてSR送信を行う。
【０１７３】
なお、SR initiator（AP）は、所属するBSS内のSTAに対して、無線品質情報を要求する信号（無線品質情報要求信号）を送信してもよい（図示せず）。無線品質情報要求信号を受信したSTAは、無線品質情報を含む応答信号をSR initiator（AP）に送信する。例えば、SR initiator（AP）は、BQR（Bandwidth Query Report）の送信をSTAに要求するTrigger frame（Trigger typeがBQRP（Bandwidth Query Report Poll）のTrigger frame）を無線品質情報要求信号として使用し、所属するBSS内のSTAに対して送信してもよい。この場合、STAは、無線品質情報要求信号に対する応答信号として、BQRを無線品質情報として送信する。このように、11axにおいて既に規定されている無線品質情報の取得手段を利用することで、無線品質情報を要求する処理を容易に実現できる。
【０１７４】
また、SR initiator及びSR responderの双方がSTAである場合でも、上記実施の形態を適用でき、同様の効果を得ることができる。
【０１７５】
（５）上記実施の形態では、OBSSのTrigger frameを用いたSRP-based SR（DSRP_PPDU-based SR）を一例として説明したが、その他のSRP-based SRでも上記実施の形態を適用でき、同様の効果を得ることができる。
【０１７６】
その他のSRP-based SRに対して上記実施の形態を適用する場合、DSRP_PPDU-based SRと比較して、SRPの取得方法及びRSSIの測定方法が異なる。なお、その他のSRP-based SRとは、例えば、OBSSのTrigger frameではないPPDUを用いたTSRP(Trigger-based SRP)_PPDU-based SR、OBSSのビーコン及び応答フレームを用いたULSRP(Uplink SRP)_PPDU-based SR、又は、OBSSのCTS(Clear to Send)を用いたDLSRP(Downlink SRP)_PPDU-based SRである（例えば、非特許文献１を参照）。以下では、これらのSRP-based SRの手法を「先行信号を用いるSRP-based SR」と呼ぶ。
【０１７７】
図１４は先行信号(Preceding signal)を用いるSRP-based SRの動作例を示すシーケンス図である。なお、図１４において、図６と同一の動作には同一の符号を付し、その説明を省略する。
【０１７８】
図１４において、OBSS APは、先行信号をOBSS STAに対して送信する（ＳＴ３０１）。先行信号とは、OBSS STAによって送信される信号と同じBSS colorを有する信号である。具体的には、先行信号とは、Trigger frameと識別できないPPDU、ビーコンフレーム、CTSフレーム、BA（BlockACK）フレーム、ACK（Acknowledgement）フレームである。
【０１７９】
SR initiatorは、ＳＴ３０１において、OBSS APが送信した先行信号を受信し、受信した先行信号のフレームタイプ毎にRSSIを測定し、保存する。
【０１８０】
次に、SR initiatorは、OBSS STAがOBSS AP宛に送信した非SR信号を受信し、非SR信号に基づいてSRP及び非SR信号のパケット長を取得する（ＳＴ３０２）。また、SR initiatorは、非SR信号におけるPPDUフォーマットを識別し、保存していた先行信号のRSSIの中から、所定の条件（例えば、PPDUフォーマットに対応するフレームタイプであること）を満たす信号のRSSIを取得する。そして、SR initiatorは、取得したSRP及びRSSIを用いて、OBSS APへの干渉を低減するSR信号の送信電力（例えば、式(2)を参照）を決定する（ＳＴ３０３）。また、SR initiatorは、取得した非SR信号のパケット長に基づいて、SR送信期間（SRP opportunity）を決定する（ＳＴ３０４）。
【０１８１】
すなわち、図１４では、SR initiatorは、OBSSから送信される非SR信号からSRP及び非SR信号のパケット長を取得する点、及び、非SR信号のフォーマットに応じて先行信号から測定したRSSIを取得する点が図６と異なる。
【０１８２】
図１５は、先行信号を用いるSRP-based SRを行うSR initiatorである無線通信装置４００の構成例を示すブロック図である。なお、図１５において、実施の形態１（図４）と同一の構成には同一の符号を付し、その説明を省略する。具体的には、無線通信装置４００は、受信電力保持部４０１を備える点が図４と異なる。
【０１８３】
受信電力保持部４０１は、受信電力測定部１０２から、OBSSの先行信号を用いて測定されたRSSIを取得し、所定期間保存する。また、受信電力保持部４０１は、復号部１０４から、OBSSの非SR信号から得られる、BSS color、データフォーマット、SRP情報を取得し、所定期間保存する。
【０１８４】
そして、受信電力保持部４０１は、所定のSRPを有するPPDUが入力された場合、入力されたPPDUのフォーマットに対応した所定の条件を満たす先行信号のRSSIをSR送信電力低減部１０５に出力する。一方、受信電力保持部４０１は、所定のSRPを有さない信号が入力された場合、又は、所定の条件を満たす先行信号のRSSIを保持していない場合、入力された信号に含まれる情報を保存する。この場合、SR initiator（例えば、SR制御部）は、SR送信を中止する。
【０１８５】
（６）上記実施の形態では、SRP-based SRを前提として説明したが、OBSS PD-based SRの場合においても、上記実施の形態は適用でき、同様の効果を得ることができる。
【０１８６】
図１６は、OBSS PD-based SRの動作例を示すシーケンス図である。なお、図１６において、図６と同一の動作には同一の符号を付し、その説明を省略する。
【０１８７】
図１６において、OBSS STAは、OBSS AP宛に非SR信号を送信する（ＳＴ４０１）。このとき、SR initiatorは、OBSS STAからOBSS APに送信される非SR信号を受信している。
【０１８８】
SR initiatorは、OBSS STAが送信した非SR信号のBSS colorに基づいて、当該OBSSがSRG又はNon-SRGの何れであるかを判定し、非SR信号の受信電力が、次式(5)に基づいて決定したOBSS_PDThreshold以下の受信電力である場合、SR信号の送信電力を決定する（ＳＴ４０２）。このとき、SR initiatorは、OBSS APの干渉許容値は考慮しない。
【数２】
2019167439.tif 000004
【０１８９】
式(5)において、OBSS_PDThreshold_minはOBSS_PDThresholdが採る最小値であり、OBSS_PDThreshold_maxはOBSS_PDThresholdが採る最大値であり、TXPWRrefは参照送信電力であり、TXPWRはSR送信電力である。
【０１９０】
次に、SR initiatorは、SR responderから受信した所定の送信リソースに関する無線品質情報に基づいて、所望の受信品質が期待できるSR信号の送信リソースを決定する(ＳＴ４０３)。ここで、実施の形態３で説明した動作及び式(5)に基づいて、SR送信電力は、次式(6.1)(6.2)で表される。
【数３】
2019167439.tif 000005
【０１９１】
式(6.1)の場合、OBSSからの受信レベル（OBSS_PDlevel）がOBSSレベルの最小値（OBSS_PDmin）以下であれば、最大SR送信電力（TXPWRmax）は、保証電力(Guaranteed power)より大きい値を満たせばよい。一方、式(6.2)の場合、OBSSからの受信レベルがOBSS PD閾値の最大値（OBSS_PDmax）と最小値の範囲内の値を採るならば、SR送信電力は保証電力より大きく、参照送信電力より小さい値の範囲で定義される。また、式(6.1)及び式(6.2)を満たさない場合、SR initiatorは、SR送信を中止する。
【０１９２】
すなわち、OBSS PD-based SRでは、SR initiatorが上記実施の形態のようなOBSS APの信号から得られた情報に基づいて特定のOBSSに対する干渉低減処理を行わない点、及び、実施の形態３の電力制御方法（式(6.1)、式(6.2)）の２点において、上記実施の形態で説明したSRP-based SRと動作が異なる。
【０１９３】
（７）また、上記実施の形態では、受信電力の一例としてRSSIを用いる場合について説明したが、受信電力を表すパラメータはRSSIに限定されない。また、SR initiatorからSR responderへ通信を行うときの受信品質の一例としてSINRを用いる場合について説明したが、受信品質を表すパラメータはSINRに限定されない。
【０１９４】
（８）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９５】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０１９６】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０１９７】
通信には、セルラーシステム、無線ＬＡＮシステム、通信衛星システム等によるデータ通信に加え、これらの組み合わせによるデータ通信も含まれる。
【０１９８】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０１９９】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０２００】
本開示の無線通信装置は、第１のBSS（Basic Service Set）内の他の無線通信装置から送信される無線品質情報に基づいて、前記第１のBSS以外の第２のBSSに対するSR（Spatial Reuse）によって送信されるSR信号の送信リソースを決定する制御回路と、前記送信リソースを用いて、前記SR信号を送信する送信回路と、を具備する。
【０２０１】
本開示の無線通信装置において、前記制御回路は、前記無線品質情報に基づいて、前記SR信号の送信可能な帯域を判断し、前記送信回路は、前記送信可能な帯域において前記SR信号を送信し、前記送信可能な帯域以外の帯域では前記SR信号を送信しない。
【０２０２】
本開示の無線通信装置において、前記制御回路は、前記第２のBSSからの信号に基づいて得られる期間において前記SR信号を送信する場合に前記送信リソースを決定し、前記期間において前記SRを送信しない場合に前記送信リソースを決定しない。
【０２０３】
本開示の無線通信装置において、前記無線品質情報は所定帯域毎の無線品質を示す。
【０２０４】
本開示の無線通信装置において、前記所定帯域は、RU（Resource Unit）単位の帯域である。
【０２０５】
本開示の無線通信装置において、前記所定帯域は、20MHz単位の帯域である。
【０２０６】
本開示の無線通信装置において、前記無線品質情報は、前記他の無線通信装置における前記SR信号の受信可否、前記他の無線通信装置における干渉レベルが閾値より低いか否か、前記他の無線通信装置における干渉レベル、及び、前記無線通信装置から前記他の無線通信装置へ通信を行うときの受信品質のうちの何れかを示す。
【０２０７】
本開示の無線通信装置において、前記無線品質情報は、BSS毎の無線品質を示す。
【０２０８】
本開示の無線通信装置において、前記無線品質情報は、前記第１のBSSを含む第１のグループに所属するBSSに対する無線品質、及び、前記第１のグループと異なる第２のグループに所属するBSSに対する無線品質を示す。
【０２０９】
本開示の無線通信装置において、前記無線品質情報は、前記無線通信装置から前記他の無線通信装置へ通信を行うときの受信品質を含み、前記制御回路は、前記受信品質に基づいて前記他の無線通信装置において所定の誤り率を満たす第１の送信電力を算出し、前記第２のBSSからの信号に基づいて第２の送信電力を算出し、前記第２の送信電力が前記第１の送信電力より大きい場合、前記SR信号の送信を決定する。
【０２１０】
本開示の無線通信装置において、前記SR信号の送信電力は、前記第１の送信電力より大きく、かつ、前記第２の送信電力未満である。
【０２１１】
本開示の無線通信方法は、第１のBSS（Basic Service Set）内の他の無線通信装置から送信される無線品質情報に基づいて、前記第１のBSS以外の第２のBSSに対するSR（Spatial Reuse）によって送信されるSR信号の送信リソースを決定し、前記送信リソースを用いて、前記SR信号を送信する。
【０２１２】
２０１８年２月２８日出願の特願２０１８−０３５４５６の日本出願に含まれる明細書、図面および要約書の開示内容は、すべて本願に援用される。
【産業上の利用可能性】
【０２１３】
本開示の一態様は、無線通信システムに有用である。
【符号の説明】
【０２１４】
１００，２００，３００，４００  無線通信装置
１０１，２０１  無線送受信部
１０２  受信電力測定部
１０３，２０２  復調部
１０４，２０３  復号部
１０５  SR送信電力低減部
１０６  無線品質情報保持部
１０７，３０１  SR送信リソース制御部
１０８  符号化部
１０９  Preamble生成部
１１０，２０６  変調部
２０４  無線品質測定部
２０５  無線品質情報生成部
４０１  受信電力保持部
【図１】
2019167439.tif 000006
【図２】
2019167439.tif 000007
【図３】
2019167439.tif 000008
【図４】
2019167439.tif 000009
【図５】
2019167439.tif 000010
【図６】
2019167439.tif 000011
【図７】
2019167439.tif 000012
【図８】
2019167439.tif 000013
【図９】
2019167439.tif 000014
【図１０】
2019167439.tif 000015
【図１１】
2019167439.tif 000016
【図１２】
2019167439.tif 000017
【図１３】
2019167439.tif 000018
【図１４】
2019167439.tif 000019
【図１５】
2019167439.tif 000020
【図１６】
2019167439.tif 000021
【国際調査報告】
2019167439.tif 000022
2019167439.tif 000023
2019167439.tif 000024
2019167439.tif 000025